(57)【要約】【課題】  汎用性のある有機ＥＬパネルを用いてコストを抑えてなる表示装置を提供する。【解決手段】  ガラス基板１１上に少なくとも発光層を含む有機層１４を一対の電極１２，１５にて挟持する有機ＥＬ素子１６を設けてなる有機ＥＬパネル１と、光透過部２１を有する装飾表示部２とこの装飾表示部２を透過照明する光源３２を有する照明部３とによって構成され有機ＥＬパネル１に隣り合うように設けられる透過表示手段４と、を備えてなる。【選択図】  図２
2005338488.tif 000002
【特許請求の範囲】
【請求項１】
支持基板上に少なくとも発光層を含む有機層を一対の電極にて挟持する積層体を設けてなる有機ＥＬ表示手段と、光透過部を有する表示部と前記表示部を透過照明する光源を有する照明部とによって構成され前記有機ＥＬ表示手段に隣り合うように設けられる透過表示手段と、を備えてなることを特徴とする表示装置。
【請求項２】
前記有機ＥＬ表示手段の表示色と、前記透過表示手段の表示色と、を近づけるための色補正部材を備えてなることを特徴とする請求項１に記載の表示装置。
【請求項３】
前記有機ＥＬ表示手段の表示内容と、前記透過表示手段の表示内容と、が合わせて１つの情報を表示することを特徴とする請求項１または請求項２に記載の表示装置。
【請求項４】
前記有機ＥＬ表示手段は、可変情報を数値またはバーグラフなどで表示し、前記透過表示手段は、前記可変情報に対応する単位または指標を表示してなることを特徴とする請求項３に記載の表示装置。
【請求項５】
前記透過表示手段の前記表示部は、所定形状の前記光透過部を有する有色印刷層からなることを特徴とする請求項１から請求項４のいずれかに記載の表示装置。
【発明の詳細な説明】
【技術分野】
【０００１】
本発明は、表示装置に関するものであり、特に、有機ＥＬ（エレクトロルミネセンス）を用いた自発光型の表示手段を備える表示装置に好適である。
【背景技術】
【０００２】
従来、有機ＥＬパネルとしては、ガラス材料からなる透光性基板上に、ＩＴＯ（Ｉｎｄｉｕｍ  Ｔｉｎ  Ｏｘｉｄｅ）等によって陽極となる透明電極（前面電極）と、正孔注入層，正孔輸送層，発光層及び電子輸送層からなる有機層と、陰極となるアルミニウム（Ａｌ）等の非透光性の背面電極とを順次積層して積層体である有機ＥＬ素子を形成し、この積層体を覆うガラス材料からなる封止部材を透光性基板上に配設してなるものが知られている。このような有機ＥＬパネルは、例えば特許文献１に開示されている。
【特許文献１】特開２００１−２６７０６６号公報
【発明の開示】
【発明が解決しようとする課題】
【０００３】
このような有機ＥＬパネルは、複雑な積層構造にてなることもあって、安価で用いることができなかった。特に、表示装置に用いる有機ＥＬパネルは、表示面積が大きくなる程、高価なものであった。したがって、表示装置全体としてのコストを高めてしまうという問題となっていた。
【０００４】
また、前記表示装置における表示形態が複数のバリエーションに対応させるためには、有機ＥＬパネルを共通化することができず、個別に有機ＥＬパネルを製造しなければならないという問題を有していた。
【０００５】
本発明の目的とするところは、上述した問題に着目してなされたものであって、汎用性のある有機ＥＬパネルを用いてコストを抑えてなる表示装置を提供することにある。
【課題を解決するための手段】
【０００６】
本発明の有機ＥＬパネルは、請求項１に記載したように、支持基板上に少なくとも発光層を含む有機層を一対の電極にて挟持する積層体を設けてなる有機ＥＬ表示手段と、光透過部を有する表示部と前記表示部を透過照明する光源を有する照明部とによって構成され前記有機ＥＬ表示手段に隣り合うように設けられる透過表示手段と、を備えてなることを特徴とするものである。
【０００７】
また、請求項２に記載したように、請求項１に記載の表示装置において、前記有機ＥＬ表示手段の表示色と、前記透過表示手段の表示色と、を近づけるための色補正部材を備えてなることを特徴とするものである。
【０００８】
また、請求項３に記載したように、請求項１または請求項２に記載の表示装置において、  前記有機ＥＬ表示手段の表示内容と、前記透過表示手段の表示内容と、が合わせて１つの情報を表示することを特徴とするものである。
【０００９】
また、請求項４に記載したように、請求項３に記載の表示装置において、前記有機ＥＬ表示手段は、可変情報を数値またはバーグラフなどで表示し、前記透過表示手段は、前記可変情報に対応する単位または指標を表示してなることを特徴とするものである。
【００１０】
また、請求項５に記載したように、請求項１から請求項４のいずれかに記載の表示装置において、前記透過表示手段の前記表示部は、所定形状の前記光透過部を有する有色印刷層からなることを特徴とするものである。
【発明の効果】
【００１１】
本発明は、少なくとも発光層を有する有機層を一対の電極で挟持した積層体を支持基板上に設ける有機ＥＬパネルを用いた表示装置に関して、汎用性のある有機ＥＬパネルを用いてコストを抑えてなる表示装置を提供できる。
【発明を実施するための最良の形態】
【００１２】
以下、添付図面を用いて本発明の実施の形態について説明するが、本発明における表示装置を車両用表示装置に適用した場合を例に挙げて説明する。
【００１３】
図１および図２を用いて本発明の実施の形態について説明する。車両用表示装置Ａは、有機ＥＬパネル１と、装飾表示部（表示部）２と、照明部３とから構成されている。また、車両用表示装置Ａは、有機ＥＬパネル１などを用いて車両速度を表示する第１の表示領域Ａ１と、装飾表示部２および照明部３によって警告表示をなす第２の表示領域Ａ２とを備えている。
【００１４】
有機ＥＬパネル１は、図２に示すように、ガラス基板（支持基板）１１上に、透明電極（電極）１２，絶縁層１３，有機層１４および背面電極（電極）１５からなる有機ＥＬ素子（積層体）１６を設けている。また、有機ＥＬパネル１には、有機ＥＬ素子１６を覆う封止部材１７が、紫外線硬化型接着剤１８を用いてガラス基板１１上に設けられる。
【００１５】
ガラス基板１１は、平板状で長方形形状からなる透光性の支持基板である。
【００１６】
透明電極１２は、ガラス基板１１上にＩＴＯ等の導電性材料を蒸着法やスパッタリング法等の手段によって形成されるもので、日の字型の表示セグメント部Ｓと、個々の表示セグメント部Ｓからそれぞれ引き出し形成されたリード部と、前記リード部の終端部に設けられる電極端子とを備えており、表示セグメント部Ｓ単位毎に図示しない給電回路からの定電流を選択的に与えることが可能な構造を得ている。
【００１７】
絶縁層１３は、例えば、ポリイミド系等の絶縁材料からなり、例えばフォトリソグラフィー法等の手段によって形成される。絶縁層１３は、表示セグメント部Ｓに対応した窓部を有し、発光領域の輪郭を鮮明に表示するため、表示セグメント部Ｓの周縁部と若干重なるように前記窓部が形成されるとともに、透明電極１２と背面電極１５との絶縁を確保する。
【００１８】
有機層１４は、透明電極１２上に設けられるもので、少なくとも発光層を有するものであれば良いが、本発明の実施の形態においては正孔注入層，正孔輸送層，発光層および電子輸送層を蒸着法等の手段によって順次積層形成してなるものであり、例えば白色発光をなすものである。
【００１９】
背面電極１５は、アルミ（Ａｌ）やアルミリチウム（Ａｌ：Ｌｉ），マグネシウム銀（Ｍｇ：Ａｇ）等の非透光性の導電性材料を蒸着法やスパッタリング法等の手段によって有機層１４上に形成してなるもので、この場合、長方形形状をなす単一の金属電極（非透光性の電極）であり、有機層１４における発光部（表示セグメント部Ｓ）の共通電極となる。
【００２０】
以上のように、ガラス基板１１における有機ＥＬ素子１６の形成個所が第１の表示領域Ａ１となる。有機ＥＬ素子１６は、透明電極１２および背面電極１５に所定の駆動電圧を印加することによって所定の発光が得られる。
【００２１】
封止部材１７は、例えば、ガラス材料からなる平板部材に収納部である凹部１７ａを形成してなるものである。封止部材１７は、凹部１７ａを取り囲むように形成される支持部１７ｂを、紫外線硬化型接着剤１８を介しガラス基板１１上に気密的に設けられる。封止部材１７とガラス基板１１とで有機ＥＬ素子１６を収納する気密空間を構成する。
【００２２】
一方、第１の表示領域Ａ１の単位を示す指標および第２の表示領域においては、装飾表示部２と装飾表示部２を透過照明するための照明部３によって主に構成される透過表示手段４によって、所定形状の単位Ｍや警告表示Ｗ、例えば、図１に示すように、Ｋｍ／ｈ、シートベルト警告、サイドブレーキ警告、チェックエンジン警告およびトランクオープン警告等を表示することができる。
【００２３】
装飾表示部２は、有機ＥＬパネル１の表示部分を開口する透光性の合成樹脂材からなる表示板２０と、この表示板２０の裏面側に前記所定形状の光透過部２１を切り欠いてなる有色の背景色層２２と、光透過部２１の裏面側に積層され照明部３からの照明光Ｌの色を変更する有色層２３と、から主に構成される。なお、着色層２３は、例えば、所定の顔料が混入された螢光体層からなるものであり、前記所定形状の単位Ｍや警告表示Ｗを表示するためのものであり、照明部３からの照明光Ｌを受けて、色味を変えて表示することができる。この場合、装飾表示部２は、単位Ｍの対応部分に白色を表示するための有色層２３が設けられ、警告表示Ｗの対応部分には、赤色に表示するための有色層２３が設けられる。
【００２４】
照明部３は、所定の配線パターンが配設された回路基板３１と、有機ＥＬパネル１から発せられる表示光とは異なる発光色の照明光（例えば、赤色や青色）Ｌを放つ発光ダイオードやランプ体等からなる複数の光源３２と、これらの光源３２を覆う着色カバー３３と、ケース体３４とを備えている。また、照明部３は、図示しない制御回路からの駆動信号の入力に基づいて光源３２が光輝するものである。光源３２から発せられた照明光Ｌは、有色層２３や光透過部２１を通って、装飾表示部２を透過照明することになる。
【００２５】
なお、光源３２は、単位Ｍや各警告表示Ｗにそれぞれ対応するように設けられる。また、ケース体３４は、図１に示すように、単一の光源３２にて単一の表示がなされるように、単位Ｍや各警告表示Ｗ毎に仕切られている。また、第１の表示領域において、単位Ｍに対応する光源（この場合、青色の発光色）は、有色層２３および着色カバー３３からなる色補正部材によって、有機ＥＬパネル１の表示色（この場合、白色）の色度に近づくように、色味が変化される。したがって、車速なる情報を表示するための数値と単位とに一体感を持たせることができる。
【００２６】
かかる車両用表示装置Ａは、ガラス基板１１上に少なくとも発光層を含む有機層１４を一対の電極１２，１５にて挟持する有機ＥＬ素子１６を設けてなる有機ＥＬパネル１と、光透過部２１を有する装飾表示部２とこの装飾表示部２を透過照明する光源３２を有する照明部３とによって構成され有機ＥＬパネル１に隣り合うように設けられる透過表示手段４と、を備えてなるものである。
【００２７】
したがって、上述した単位Ｍを表示する車両用表示装置Ａを設計する場合においても、例えば、Ｋｍ／ｈではなくＭＰＨなる単位を表示する車両用表示装置を設計する場合においても、表示板２０面に印刷される背景色層２２の光透過部２１の形状を変更するだけで表示形態が複数のバリエーションを有する表示装置にそれぞれ対応でき、同様の有機ＥＬパネル１を用いることができる。ゆえに、汎用性のある有機ＥＬパネル１を用いてコストを抑えてなる車両用表示装置Ａとなる。
【００２８】
また、照明部３は、有機ＥＬパネル１の表示色とは異なる色の照明光Ｌを発するように構成することによって、警告表示Ｗを通常時の表示状態と大きく異ならせて表示させることができるため、緊急性を要する警告表示を容易に認識することが可能となる。
【００２９】
また、上述した実施の形態は、図３に示すようなエンジン回転数表示を行うものにおいても適用でき、別例として説明する。なお、上述した実施の形態と同一もしくは相当個所には、同一符号を付してその詳細な説明は省く。
【００３０】
図３の車両用表示装置Ａ０は、エンジン回転数に応じて点灯する複数のバーを有するバー表示部（バーグラフ）Ｂと、このバー表示部Ｂに対応する１から７の数字からなる指標部Ｎと、回転数であることを示す単位Ｍ１と、を表示するものである。
【００３１】
バー表示部Ｂは、図２に示す実施の形態と同様に、ガラス基板１１上に少なくとも発光層を含む有機層１４を一対の電極１２，１５にて挟持する有機ＥＬ素子１６を設けてなる有機ＥＬパネル１ａによって、エンジン回転数に応じた表示を行うものである。
【００３２】
指標部Ｎおよび単位Ｍ１は、図２に示す実施の形態と同様に、光透過部２１を有する装飾表示部２ａとこの装飾表示部２ａを透過照明する光源３２を有する照明部３とによって構成され有機ＥＬパネル１に隣り合うように設けられる。透過表示手段によって、有機ＥＬパネル１ａに対応する表示を行うものである。
【００３３】
車両用表示装置Ａ０は、有機ＥＬパネル１ａは、バー表示部Ｂなどの可変情報を表示し、透過表示手段４は、前記可変情報の単位Ｍまたは指標Ｎを表示してなることによって、車両の運転中に刻々と変わる数値（エンジン回転数）を、視認可能な角度が広くかつ表示出力の反応が良好な有機ＥＬパネル１ａの表示にて提供できるとともに、単位Ｍや指標Ｎ等の表示内容が変化しないものについては、安価であり設計変更が簡単に行える表示手段（透過表示手段４）によって提供することができる。
【００３４】
なお、上述した実施の形態では、セグメント表示型の有機ＥＬパネル１，１ａを用いているが、ドットマトリクス型の有機ＥＬパネルに本発明を適用しても良い。
【００３５】
また、上述した各実施の形態では装飾表示部２と照明部３からなる透過表示手段４に設けられる、着色カバー３３や有色層２３からなる色補正部材によって、有機ＥＬパネル１からなる有機ＥＬ表示手段の表示色に近づけるものを例に挙げて説明したが、本発明はこれに限定されるものではなく、例えば、有機ＥＬパネル１の前面にカラーフィルタなる色調整部材を設けて、色味を調整することもできる。
【００３６】
また、透過表示手段として、液晶表示パネル（表示部）と、この液晶表示パネルを透過照明するバックライト（光源）と、によって構成するものであってもよい。
【００３７】
また、有機ＥＬパネル１を用いて、数値またはバーグラフなどの可変情報を表示するものを示したが、本発明はこれに限定されるものではなく、表示形態が変化するものであれば好適あり、例えば、文字や意匠などであってもよい。
【図面の簡単な説明】
【００３８】
【図１】本発明の実施の形態における車両用表示装置を示す平面図。
【図２】同上実施の形態における車両用表示装置の要部断面図。
【図３】同上実施の形態の別例を示す平面図。
【符号の説明】
【００３９】
Ａ    車両用表示装置
Ａ１  第１の表示領域
Ａ２  第２の表示領域
１    有機ＥＬパネル（有機ＥＬ表示手段）
１１  ガラス基板（支持基板）
１２  透明電極（電極）
１４  有機層
１５  背面電極（電極）
１６  有機ＥＬ素子（積層体）
１７  封止部材
２    装飾表示部
２１  光透過部
２２  背景色層（有色印刷層）
２３  着色層（色補正部材）
３    照明部
３２  光源
３３  着色カバー（色補正部材）
３４  ケース体
４    透過表示手段
【図１】
2005338488.tif 000003
【図２】
2005338488.tif 000004
【図３】
2005338488.tif 000005